(57)【要約】【課題】  防水扉の材質をＦＲＰで構成すると共に防水扉を出入口の床面に形成した床溝で支持することにより、防水扉の軽量化と水密性を更に高めることのできる床支持方式防水扉構造を提供することにある。【解決手段】  出入口の開口部に設置される所定高さの防水扉１、防水扉１が設置される床面に形成された床溝２、防水扉１の下部側の両面を床溝２の一側面２ａとの間で挟圧支持する下部支持部材３、開口部の左右側壁面に形成された側溝４、防水扉１の左右の側端側の片面を各側溝４の一側面に押止して止水する側部押圧部材５などから構成される。【選択図】        図２
2007016456.tif 000002
【特許請求の範囲】
【請求項１】
出入口の開口部の床面に開口幅の全幅方向にわたって洪水時に所定高さの材質がＦＲＰからなる防水扉の下部側が挿入される床溝を形成し、出入口の開口部の左右側壁面に床溝の左右の各端部から上向き方向に洪水時に所定高さの材質がＦＲＰからなる防水扉の左右の側端側が挿入される側溝をそれぞれ形成し、上記床溝の断面を溝深さに比べ溝幅が大きい横長な矩形断面とし、洪水時には縦置状態で所定高さの防水扉の下部側の両面を床溝の一側面との間で挟圧支持すると共に防水扉の下部側の片面を床溝の一側面に押止して止水し且つ通常時には横置状態で床溝内に収容される下部支持部材を配置し、洪水時に防水扉の左右の側端側の片面を各側溝の一側面に押止して止水する側部押圧部材をそれぞれ配置したことを特徴とする床支持方式防水扉構造。
【請求項２】
出入口の開口部の床面に開口幅の全幅方向にわたって洪水時に所定高さの材質がＦＲＰからなる防水扉の下部側が挿入される床溝を形成し、出入口の開口部の左右側壁面に床溝の左右の各端部から上向き方向に洪水時に所定高さの材質がＦＲＰからなる防水扉の左右の側端側が挿入される側溝をそれぞれ形成し、床溝及び側溝の一側面と接する防水扉の下部側及び両側端側の片面に弾性止水板をそれぞれ取り付け、上記床溝の断面を溝深さに比べ溝幅が大きい横長な矩形断面とし、洪水時には縦置状態の一側面で所定高さの防水扉の下部側の両面を床溝の一側面との間で挟圧支持すると共に防水扉の下部側の片面に取り付けた上記弾性止水板を床溝の一側面に押止して当該弾性止水板により止水し且つ通常時には横置状態で床面と略同一平面となって床溝を塞ぐような状態で床溝内に収容される下部支持部材を配置し、上記床溝の他側面に先端が当接しその反作用で下部支持部材の縦置状態の一側面を防水扉に向けて押圧移動させる下部押圧力付与軸を下部支持部材の縦置状態の他側面に貫通状態で螺合し、下部押圧力付与軸の後部に当該押圧力付与軸を軸転させる下部ハンドルを設け、洪水時に一側面が防水扉の左右の側端側の片面を各側溝の一側面に押止して片面に取り付けた上記弾性止水板により止水する側部押圧部材をそれぞれ配置し、上記側溝の他側面に先端が当接しその反作用で側部押圧部材の一側面を防水扉に向けて押圧移動させる側部押圧力付与軸を側部押圧部材の他側面に貫通状態で螺合し、側部押圧力付与軸の後部に当該押圧力付与軸を軸転させる側部ハンドルを設けたことを特徴とする床支持方式防水扉構造。
【請求項３】
出入口の開口部の床面に開口幅の全幅方向にわたって洪水時に所定高さの材質がＦＲＰからなる防水扉の下部側が挿入される床溝を形成し、出入口の開口部の左右側壁面に床溝の左右の各端部から上向き方向に洪水時に所定高さの材質がＦＲＰからなる防水扉の左右の側端側が挿入される側溝をそれぞれ形成し、床溝及び側溝の一側面と接する防水扉の下部側及び両側端側の片面に弾性止水板をそれぞれ取り付け、床溝の一側面と接する防水扉の下部側の片面に弾性止水板を挟んでその上下に受圧板をそれぞれ取り付け、上記床溝の断面を溝深さに比べ溝幅が大きい横長な矩形断面とし、洪水時には縦置状態の一側面で所定高さの防水扉の下部側の両面を床溝の一側面との間で挟圧支持すると共に防水扉の下部側の片面に取り付けた上記弾性止水板を床溝の一側面に押止して当該弾性止水板により止水し且つ通常時には横置状態で床面と略同一平面となって床溝を塞ぐような状態で床溝内に収容される下部支持部材を配置し、床溝内に挿入された防水扉に取り付けた上下の受圧板の中間高さ位置に対応する下部支持部材の縦置状態の一側面の高さ位置に下部押込板を取り付け、上記床溝の他側面に先端が当接しその反作用で下部支持部材の縦置状態の一側面を防水扉に向けて押圧移動させる下部押圧力付与軸を、床溝内に挿入された防水扉に取り付けた上下の受圧板の中間高さ位置に対応する下部支持部材の縦置状態の他側面の高さ位置に貫通状態で螺合し、下部押圧力付与軸の後部に当該押圧力付与軸を軸転させる下部ハンドルを設け、洪水時に一側面が防水扉の左右の側端側の片面を各側溝の一側面に押止して片面に取り付けた上記弾性止水板により止水する側部押圧部材をそれぞれ配置し、上記側溝の他側面に先端が当接しその反作用で側部押圧部材の一側面を防水扉に向けて押圧移動させる側部押圧力付与軸を、側溝内に挿入された防水扉に取り付けた弾性止水板と同一位置に対応する側部押圧部材の他側面の位置に貫通状態で螺合し、側部押圧力付与軸の後部に当該押圧力付与軸を軸転させる側部ハンドルを設けたことを特徴とする床支持方式防水扉構造。
【発明の詳細な説明】
【技術分野】
【０００１】
この発明は、例えば建築物の出入口、地下街の出入口などに設置される防水扉に係り、特に、防水扉の材質をＦＲＰで構成すると共に防水扉を出入口の床面に形成した床溝で支持するようにして、防水扉の軽量化と水密性を更に高める床支持方式防水扉構造に関するものである。
【背景技術】
【０００２】
近年異常気象に伴う局部的な集中豪雨が発生したり、又都市部の道路の整備により、雨水が急速に道路側溝に流入し、その氾濫水が低地部や地下室、地下駐車場地下街に流入する異常事態が頻発している。また河川の整備は行われているが、一部においては、洪水が発生し、その氾濫水が上記の場所に集中し、また同じような事態が発生している。このような事態を防ぐために、建築物の出入口、地下街の出入口にいろいろな防水扉が設置されている。
その製品を大別すると
１）機械式、電動式、エアー式、水圧式
防水扉は常時その位置に設置され、その位置で機械的に作動する。
２）手動式
人が防水扉を所定のところより持ち運び、取付位置に設置する。
【発明の開示】
【発明が解決しようとする課題】
【０００３】
ところで、前記の手動式については、次のような課題がある。
１）製品重量について
既存の手動式製品はステンレス製やアルミ製により作られている。出願人により市場リサーチを行った際、現在使用されているユーザーのほとんどの意見として重量が非常に重すぎるということであった。防水扉を操作する人（管理人）は多くのビル等においてその年齢が高く、その負担は考えている以上に大きいということである。
２）荷重支持方式について
通常手動式と呼ばれているものは、防水扉１０１の左右両端側を左右の壁の側面に形成された壁溝１０２の中に挿入して水圧がかかった時、左右の壁溝１０２で防水扉１０１を支える方式をとっている（図７（Ａ）参照）。
通常の防水扉は高さ５００ｍｍ位が標準となっている。このため、入口開口寸法が大きくなれば、当然防水扉の剛性を大きくしなければならず、また重量も重くなってくる。つまり、扉を両側の壁の側面の壁溝で支持する両端単純支持は、開口寸法の横方向の長さに比例して横向きのたわみが大きくなり、これを防ぐためには防水扉の剛性を大きくする必要があり、防水扉の厚みは大きくなり、その結果、重量も重くなる。
３）水密性について
防水扉１０１の目的はもちろん洪水等による水を止水することにある。既存の製品はステンレスやアルミで製作されており、その本体にゴム１０３を取り付け締付金具１０４により防水扉本体（つまりゴム）を溝面に押し付けてゴム１０３を変形させることにより止水している（図７（Ｂ）参照）。
図７（Ｂ）において締付金具１０４を回転させることにより、防水扉１０１及びゴム１０３が埋込枠１０５に押し付けられ、この時ゴム１０３が圧縮されて、止水部を構成する。
しかしながら防水扉が曲がっていたり、埋込枠が曲がっていると、ゴムが圧縮されても完全な止水部が構成できなくなり、部分的にすきまが生じる。当然この部分より水漏れが発生する。
これは、防水扉の材質がステンレスやアルミであり、溶接構造となっているので、溶接歪が発生し、平面度をだすのがむつかしいからである。さらに防水扉の剛性が大きいので、手で締付金具を押し付けるぐらいの力では、防水扉は変形せず、結局完全な止水部が構成されないからである。
【０００４】
この発明は、上記のような課題に鑑み、その課題を解決すべく創案されたものであって、その目的とするところは、防水扉の材質をＦＲＰで構成すると共に防水扉を出入口の床面に形成した床溝で支持することにより、防水扉の軽量化と水密性を更に高めることのできる床支持方式防水扉構造を提供することにある。
【課題を解決するための手段】
【０００５】
以上の目的を達成するために、請求項１の発明は、出入口の開口部の床面に開口幅の全幅方向にわたって洪水時に所定高さの材質がＦＲＰからなる防水扉の下部側が挿入される床溝を形成し、出入口の開口部の左右側壁面に床溝の左右の各端部から上向き方向に洪水時に所定高さの材質がＦＲＰからなる防水扉の左右の側端側が挿入される側溝をそれぞれ形成し、上記床溝の断面を溝深さに比べ溝幅が大きい横長な矩形断面とし、洪水時には縦置状態で所定高さの防水扉の下部側の両面を床溝の一側面との間で挟圧支持すると共に防水扉の下部側の片面を床溝の一側面に押止して止水し且つ通常時には横置状態で床溝内に収容される下部支持部材を配置し、洪水時に防水扉の左右の側端側の片面を各側溝の一側面に押止して止水する側部押圧部材をそれぞれ配置した手段よりなるものである。
【０００６】
また、請求項２の発明は、出入口の開口部の床面に開口幅の全幅方向にわたって洪水時に所定高さの材質がＦＲＰからなる防水扉の下部側が挿入される床溝を形成し、出入口の開口部の左右側壁面に床溝の左右の各端部から上向き方向に洪水時に所定高さの材質がＦＲＰからなる防水扉の左右の側端側が挿入される側溝をそれぞれ形成し、床溝及び側溝の一側面と接する防水扉の下部側及び両側端側の片面に弾性止水板をそれぞれ取り付け、上記床溝の断面を溝深さに比べ溝幅が大きい横長な矩形断面とし、洪水時には縦置状態の一側面で所定高さの防水扉の下部側の両面を床溝の一側面との間で挟圧支持すると共に防水扉の下部側の片面に取り付けた上記弾性止水板を床溝の一側面に押止して当該弾性止水板により止水し且つ通常時には横置状態で床面と略同一平面となって床溝を塞ぐような状態で床溝内に収容される下部支持部材を配置し、上記床溝の他側面に先端が当接しその反作用で下部支持部材の縦置状態の一側面を防水扉に向けて押圧移動させる下部押圧力付与軸を下部支持部材の縦置状態の他側面に貫通状態で螺合し、下部押圧力付与軸の後部に当該押圧力付与軸を軸転させる下部ハンドルを設け、洪水時に一側面が防水扉の左右の側端側の片面を各側溝の一側面に押止して片面に取り付けた上記弾性止水板により止水する側部押圧部材をそれぞれ配置し、上記側溝の他側面に先端が当接しその反作用で側部押圧部材の一側面を防水扉に向けて押圧移動させる側部押圧力付与軸を側部押圧部材の他側面に貫通状態で螺合し、側部押圧力付与軸の後部に当該押圧力付与軸を軸転させる側部ハンドルを設けた手段よりなるものである。
【０００７】
また、請求項３の発明は、出入口の開口部の床面に開口幅の全幅方向にわたって洪水時に所定高さの材質がＦＲＰからなる防水扉の下部側が挿入される床溝を形成し、出入口の開口部の左右側壁面に床溝の左右の各端部から上向き方向に洪水時に所定高さの材質がＦＲＰからなる防水扉の左右の側端側が挿入される側溝をそれぞれ形成し、床溝及び側溝の一側面と接する防水扉の下部側及び両側端側の片面に弾性止水板をそれぞれ取り付け、床溝の一側面と接する防水扉の下部側の片面に弾性止水板を挟んでその上下に受圧板をそれぞれ取り付け、上記床溝の断面を溝深さに比べ溝幅が大きい横長な矩形断面とし、洪水時には縦置状態の一側面で所定高さの防水扉の下部側の両面を床溝の一側面との間で挟圧支持すると共に防水扉の下部側の片面に取り付けた上記弾性止水板を床溝の一側面に押止して当該弾性止水板により止水し且つ通常時には横置状態で床面と略同一平面となって床溝を塞ぐような状態で床溝内に収容される下部支持部材を配置し、床溝内に挿入された防水扉に取り付けた上下の受圧板の中間高さ位置に対応する下部支持部材の縦置状態の一側面の高さ位置に下部押込板を取り付け、上記床溝の他側面に先端が当接しその反作用で下部支持部材の縦置状態の一側面を防水扉に向けて押圧移動させる下部押圧力付与軸を、床溝内に挿入された防水扉に取り付けた上下の受圧板の中間高さ位置に対応する下部支持部材の縦置状態の他側面の高さ位置に貫通状態で螺合し、下部押圧力付与軸の後部に当該押圧力付与軸を軸転させる下部ハンドルを設け、洪水時に一側面が防水扉の左右の側端側の片面を各側溝の一側面に押止して片面に取り付けた上記弾性止水板により止水する側部押圧部材をそれぞれ配置し、上記側溝の他側面に先端が当接しその反作用で側部押圧部材の一側面を防水扉に向けて押圧移動させる側部押圧力付与軸を、側溝内に挿入された防水扉に取り付けた弾性止水板と同一位置に対応する側部押圧部材の他側面の位置に貫通状態で螺合し、側部押圧力付与軸の後部に当該押圧力付与軸を軸転させる側部ハンドルを設けた手段よりなるものである。
【発明の効果】
【０００８】
以上の記載より明らかなように、この発明に係るによれば、防水扉の材質をＦＲＰ製にしたので、防水扉の軽量化を図ることができ、防水扉の設置にかかわる作業員の負担を軽減することができる。また、従来の金属製に比べて可塑性が高いので、防水扉と床溝や側溝との水密性を高めて止水機能を高めることができる。これに加えて、防水扉の高さは例えば５００ｍｍが標準であり、このような防水扉を下部で支持する片持梁構造であるので、防水扉の両側端を支える両端単純支持に比較すると、そのたわみが非常に小さくなり、さらに、防水扉が設置される出入口の開口幅寸法が変化しても、そのたわみの大きさは変わらない。つまり、防水扉の幅（入口開口寸法）が変わっても防水扉に加わる水圧による曲げモーメントは、変化しないので防水扉の厚みを変える必要はない。従って、防水扉の重量を結果的に軽くすることができる。
【０００９】
また、請求項２，３の発明にあっては、上記の効果に加えて、洪水時でない通常時においては、下部支持部材は床溝の内部に横置状態で収容され、横置状態では下部支持部材の一側面が上面となり、床溝の表面を塞ぐ蓋の機能を果たすため、この上を車や人が往来しても通行や往来の妨げになることがない。つまり、横置状態の下部支持部材の一側面は床溝の溝蓋として機能するため、床溝を塞ぐための別個の溝蓋を必要せず、効率的である。しかも、下部支持部材は床溝内に収容されているため、洪水時には直ちに取り出して使用することができ、防水扉の設置時間を短縮することが可能となる。また、別個に下部支持部材を保管するためのスペースを省略でき、下部支持部材の保管場所までの移動などの作業も全く省略でき、防水扉の設置及び撤去作業を非常に効率的に行うことができる。
【発明を実施するための最良の形態】
【００１０】
以下、図面に記載の発明を実施するための最良の形態に基づいて、この発明をより具体的に説明する。
ここで、図１（Ａ）は床支持方式防水扉構造の支持方式の概念説明用の平面図、図１（Ｂ）は床支持方式防水扉構造の支持方式の概念説明用の側断面図、図２は床支持方式防水扉構造における洪水時の床溝部分の側断面図、図３は床支持方式防水扉構造における通常時の床溝部分の側断面図、図４は床支持方式防水扉構造における洪水時の側溝部分の側断面図、図５（Ａ）は側部押圧部材の平断面図、図５（Ｂ）は側部押圧部材の側面図、図５（Ｃ）は側部押圧部材の正断面図、図６は床支持方式防水扉構造における洪水時の支持状態での力の伝わり説明用の側断面図である。
【００１１】
図において、床支持方式防水扉構造は、出入口の開口部に設置される所定高さｈの防水扉１、防水扉１が設置される床面ａに形成された床溝２、防水扉１の下部側の両面を床溝２の一側面２ａとの間で挟圧支持する下部支持部材３、開口部の左右側壁面ｂに形成された側溝４、防水扉１の左右の側端側の片面を各側溝４の一側面に押止して止水する側部押圧部材５などから構成される。
【００１２】
防水扉１は、例えば建築物の出入口、地下街の出入口などの開口部に一時的に設置されて、集中豪雨などによって水が建物内に浸入するのを防ぐもので、厚みを有する横長な長方形状の形状している。洪水時に防水扉１はその下部側１ａが床溝２内に挿入されて挟圧支持及び止水し、左右側端側１ｂが左右の側溝４内に挿入されて止水する構造になっている。
【００１３】
長方形状の防水扉１は高さが所定高さｈの例えば５００mm程度であり、その下部側１ａが床溝２内に設置された下部支持部材３により、床溝２内の一側面に挟圧されて支持される。所定高さｈの防水扉１はその下部側１ａが支持されることで洪水時の水圧に抵抗できる構造になっている。防水扉１はその高さが所定高さｈの例えば５００mm程度であり、高さが任意に変更することがないので、防水扉１は所定の高さで下部側１ａが支持されるのみで洪水時の水圧に十分に抵抗できる構造になっている。
【００１４】
防水扉１は高さが所定高さｈで一定でその下部側１ａが支持されることで洪水時の水圧に抵抗できる構造、つまり片持梁での支持構造になっていて、防水扉１の左右両側端側１ｂでは支持しない構造つまり両端支持構造でないため、防水扉１の長さが任意に長くなっていても、防水扉１の長さに無関係に同じ構造で支持することができる。
【００１５】
防水扉１は、その材質がＦＲＰ（ガラス繊維強化プラスチック）製から構成されている。ＦＲＰは比重が一般に1.6〜1.8で、従来の鋼製防水扉の比重の約7.8に比べて４分の１以下であり、かなり軽量化することができる。前記したように、防水扉を操作する人（管理人）は多くのビル等においてその年齢が高く、その負担は考えている以上に大きい。強度が高く、比重が小さいＦＲＰを使用することで軽量化を計りこの問題を解決できることになる。
【００１６】
また、前記したように、防水扉の材質がステンレスやアルミの場合には、溶接構造となっているので溶接歪が発生し、平面度をだすのがむつかしく、さらに防水扉の剛性が大きいので、手で締付金具を押し付けるぐらいの力では、防水扉は変形せず、結局完全な止水部が構成されない不都合が生じる。これに対して本願発明の防水扉１は、その材質がＦＲＰの為、可塑性を有しており、防水扉１が変形していたり、埋込枠が変形していても、この製品を構成している支持金具を締め付ければ、防水扉１は埋込枠にそって変形しながら、ゴムを圧縮し、ゴムと埋込枠が隙間なくなじんでいき、もちろん最終的に支持金具を締め付けてしまえば、ＦＲＰ製の防水扉１と埋込枠は、一体となり、本来のＦＲＰの剛性が発揮される。
【００１７】
床溝２及び側溝４の一側面と接する防水扉１の下部側１ａ及び両側端側１ｂの片面には、弾性止水板１１がそれぞれ取り付けられている。床溝２と接する側に取り付けられる弾性止水板１１は防水扉１の下部側１ａに水平方向に取り付けられ、側溝４と接する側に取り付けられる弾性止水板１１は防水扉１の左右側端側１ｂに上下方向に取り付けられている。各弾性止水板１１は床溝２及び側溝４の一側面と密着して止水するもので、例えばゴム製パッキンが使用される。
【００１８】
床溝２の一側面と接する防水扉１の下部側１ａの片面には、弾性止水板１１を挟んでその上下に受圧板１２が平行にそれぞれ取り付けられている。上下の受圧板１２は防水扉１の下部側１ａが床溝２の一側面に押し付けられる際に、その圧力を均等にして分散して床溝２の一側面に作用させて防水扉１が傾いたりするのを防ぐ機能を果たす。
【００１９】
洪水時に防水扉１の下部側１ａが挿入される床溝２は、出入口の開口部の床面ａに開口幅の全幅方向にわたって形成されている。床溝２はその断面が溝深さに比べ溝幅が大きい横長な矩形断面から構成されている。床溝２には防水扉１の下部側１ａを挟圧して支持する下部支持部材３が収容されている。
【００２０】
出入口の開口部の左右側壁面ｂには床溝２の左右の各端部から上向き方向に洪水時に防水扉１の左右の側端側１ｂが挿入される側溝４がそれぞれ形成されている。各側溝４には防水扉１の側端側１ｂを押圧して止水するための側部押圧部材５がそれぞれ配置されている。
【００２１】
上下方向に形成された左右の各側溝４はその下端が床面ａに水平状に形成された床溝２の両端と繋がっている。各側溝４の断面は例えば床溝２の断面と同一の断面形状になっている。即ち、各側溝４は床溝２と同様に、断面が溝深さに比べ溝幅が大きい横長な矩形断面から構成されている。
【００２２】
下部支持部材３は、洪水時には縦置状態の一側面３ａで防水扉１の下部側１ａの両面を床溝２の一側面２ａとの間で挟圧支持すると共に防水扉１の下部側１ａの片面に取り付けた上記弾性止水板１１を床溝２の一側面２ａに押止して当該弾性止水板１１により止水する機能を果たす。下部支持部材３はその取り扱いが容易になるようにその長さは例えば２ｍ程になっていて、これが複数床溝２内に配置されている。この理由は下部支持部材３を９０度回転させて横置状態から縦置状態にするとき一人でもてるようにするためである。
【００２３】
また、下部支持部材３は、通常時つまり防水扉１が使用されない時には横置状態、つまり縦置状態から９０度横に倒した状態で床面ａと略同一平面となって床溝２を塞ぐような状態で床溝２内に収容されるようになっている。すなわち、下部支持部材３の一部は横置状態では床溝２の表面の蓋のような機能を果たす。下部支持部材３は、縦置状態で一側面３ａとなる部分が９０度横に倒した横置状態では上面側となって床溝２の表面の蓋のような機能を果たす。
【００２４】
下部支持部材３は、防水扉１を使用しない通常時には床溝２内に横置状態で収容することができ、洪水時には直ちに使用できると共に別途に保管場所を必要とすることがなく、しかもその収容した際には一側面３ａが床溝２の蓋としての機能を果たすため、床溝２が通常時に通行の妨げとなるのを防ぐための蓋を別途に取り付ける必要もない。
【００２５】
下部支持部材３は、洪水時の縦置状態でその断面が溝型断面となり、通常時の横置状態でその断面がコ字型断面となっている。縦置状態で溝型断面の左右側面部分を構成する平行な一側面３ａと他側面３ｂと、縦置状態で溝型断面の底面部分を構成する連結面３ｃとから構成されている。縦置状態で連結面３ｃは一側面３ａと他側面３ｂの下端間に配置されている。
【００２６】
縦置状態から９０度横に倒した横置状態では、一側面３ａは床溝２の上面側となり、他側面３ｂは床溝２の底面側２ｃとなり、連結面３ｃは床溝２の一側面２ａ側となる。洪水時の縦置状態でその断面が溝型断面となる下部支持部材３の内側部分には溝型形状を保持するブラケット３ｄが適宜間隔で配置されている。
【００２７】
下部押圧力付与軸３１は、床溝２の一側面２ａと向かい合う他側面２ｂに先端が当接しその反作用で下部支持部材３の縦置状態の一側面３ａを防水扉１に向けて押圧移動させる機能を有する。下部押圧力付与軸３１は床溝２内に挿入された防水扉１に取り付けた上下の受圧板１２の中間高さ位置に対応する下部支持部材３の縦置状態の他側面３ｂの高さ位置に貫通状態で螺合されている。下部押圧力付与軸３１は、適宜の間隔例えば５００ｍｍの間隔で下部支持部材３に取り付けられている。
【００２８】
すなわち、下部支持部材３の他側面３ｂの対応する高さ位置には螺子孔が形成され、下部押圧力付与軸３１の外周には螺子山が刻設されていて、下部押圧力付与軸３１はその外周の螺子山が螺子孔に螺合されることで螺子運動により進退動する構造になっている。
【００２９】
下部押圧力付与軸３１の位置は防水扉１に取り付けた上下の受圧板１２の中間高さ位置に対応しており、下部押圧力付与軸３１からの付与される押圧力は上下の受圧板１２に均等に分散されるため、防水扉１は下部押圧力付与軸３１からの押圧力によって傾いたりするのが防止される。
【００３０】
また、下部押圧力付与軸３１は下部支持部材３の他側面３ｂに螺合されているため、その前進及び後退の移動は微小移動となり、押圧力の細かな微調整が可能となり、また微小移動のために大きな押圧力を下部押圧力付与軸３１は下部支持部材３を通じて防水扉１に付与することができ、防水扉１を下部支持部材３の一側面３ａと床溝２の一側面２ａとの間で挟圧して支持させることができる。
【００３１】
下部押圧力付与軸３１の後部には当該押圧力付与軸３１を軸転させる下部ハンドル３２が設けられている。作業員はこの下部ハンドル３２を手で回すことにより下部押圧力付与軸３１を軸転させて、螺子運動により下部押圧力付与軸３１の先端を床溝２の他側面２ｂに当接させて、その反作用によって下部支持部材３を床溝２の一側面２ａ側に向けて押圧移動させることができる。
【００３２】
床溝２内に挿入された防水扉１に取り付けた上下の受圧板１２の中間高さ位置に対応する下部支持部材３の縦置状態の一側面３ａの高さ位置には下部押込板３３が取り付けられている。下部押込板３３は下部支持部材３の一側面３ａと接する側の防水扉１の表面を直接押圧する板である。下部支持部材３の一側面３ａや防水扉１の表面が僅かに変形している場合、下部支持部材３の一側面３ａが防水扉１の表面を均一に押圧できなくなるのを回避するために、下部押込板３３は取り付けられている。
【００３３】
側部押圧部材５は、洪水時に一側面５ａが防水扉１の左右の側端側１ｂの片面を各側溝４の一側面４ａに押止して片面に取り付けた上記弾性止水板１１により止水させる機能を果たす。側部押圧部材５は左右の各側溝４の内側にそれぞれ配置されている。
【００３４】
各側部押圧部材５は、その断面が溝型断面となっていて、溝型断面の左右側面部分を構成する平行な一側面５ａと他側面５ｂと、溝型断面の底面部分を構成する連結面５ｃとから構成されている。
【００３５】
側部押圧力付与軸５１は、側溝４の一側面４ａと向かい合う他側面４ｂに先端が当接しその反作用で側部押圧部材５の一側面５ａを防水扉１に向けて押圧移動させる機能を有する。側部押圧力付与軸５１は側溝４内に挿入された防水扉１に取り付けた弾性止水板１１と同一位置に対応する側部押圧部材５の他側面５ｂの位置に貫通状態で螺合されている。
【００３６】
すなわち、側部押圧部材５の他側面５ｂの対応する位置には螺子孔が形成され、側部押圧力付与軸５１の外周には螺子山が刻設されていて、側部押圧力付与軸５１はその外周の螺子山が螺子孔に螺合されることで螺子運動により進退動する構造になっている。
【００３７】
側部押圧力付与軸５１の位置は防水扉１に取り付けた弾性止水板１１の位置に対応しており、側部押圧力付与軸５１からの反作用で付与される押圧力は同じ位置ある弾性止水板１１に作用するため、防水扉１の弾性止水板１１は側溝４の一側面４ａに十分に密着して止水機能が遺憾なく発揮されて、防水扉１の左右の側端側１ｂから水漏れが生じるのを確実に阻止することができる。
【００３８】
また、側部押圧力付与軸５１は側部押圧部材５の他側面５ｂに螺合されているため、その前進及び後退の移動は微小移動となり、押圧力の細かな微調整が可能となり、また微小移動のために大きな押圧力を側部押圧力付与軸５１は側部押圧部材５を通じて防水扉１に付与することができ、防水扉１の弾性止水板１１の側溝４の一側面４ａに対する密着を更に高めて止水効果を更に高めることができる。
【００３９】
側部押圧力付与軸５１の後部には当該押圧力付与軸５１を軸転させる側部ハンドル５２が設けられている。作業員はこの側部ハンドル５２を手で回すことにより側部押圧力付与軸５１を軸転させて、螺子運動により側部押圧力付与軸５１の先端を側溝４の他側面４ｂに当接させて、その反作用によって側部押圧部材５を側溝４の一側面４ａ側に向けて押圧移動させることができる。
【００４０】
また、側部押圧部材５が側溝４から外れないように、側部押圧部材５の連結面５ｃと側溝４の底面４ｃとは遊嵌状に連結されている。側部押圧部材５は連結面５ｃが側溝４の底面４ｃに沿って前後にスライドできる状態で連結されている。このため、側部押圧部材５の連結面５ｃにはスライドできるように長孔５ｄが形成され、この長孔５ｄに側溝４の底面４ｃと連結する連結ボルト５ｅが取り付けられている。
【００４１】
次に、上記発明を実施するための最良の形態の構成に基づく作用について以下説明する。
洪水時でない通常時においては、下部支持部材３は床溝２の内部に横置状態で収容されている。横置状態では下部支持部材３の一側面３ａが上面となる。一側面３ａの上面の高さは床面ａの高さと略同一である。横置状態の下部支持部材３の一側面３ａは、床溝２の表面を塞ぐため、この上を車や人が往来しても支障をきたすことがない。
【００４２】
つまり、横置状態の下部支持部材３の一側面３ａは床溝２の溝蓋として機能するため、床溝２を塞ぐための別個の溝蓋を必要せず、効率的である。しかも、下部支持部材３は床溝２内に収容されているため、洪水時には直ちに取り出して使用することができ、効率的な使用が可能となる。また、別個に下部支持部材３を保管するためのスペースを省略でき、下部支持部材３の保管場所までの移動などの作業も全く省略でき、非常に効率的である。
【００４３】
洪水になると予想される時には、床溝２内に横置状態で収容していた下部支持部材３を９０度起こして縦置状態にする。下部支持部材３はその取り扱いが容易になるようにその長さは例えば２ｍ程になっているので、一人でも簡単に横置状態から縦置状態に起こすことができる。縦置状態にして下部支持部材３の一側面３ａと床溝２の一側面２ａとの間に防水扉１の下部側１ａが挿入できる隙間をあけ、保管場所から持ち出した防水扉１の下部側１ａをその隙間に上方から挿入して差し込む。
【００４４】
防水扉１の下部側１ａを床溝２と下部支持部材３との間の隙間に差し込んだ後、各下部支持部材３の他側面３ｂに適宜間隔で取り付けられた複数の下部押圧力付与軸３１の下部ハンドル３２を手で一定方向回りに回転させる。一定方向に回転させると、下部押圧力付与軸３１は螺子運動によって、先端が他側面３ｂから突出して床溝２の他側面２ｂに向かって移動する。移動した下部押圧力付与軸３１の先端が床溝２の他側面２ｂに当接した後も更に下部押圧力付与軸３１を回転させると、下部押圧力付与軸３１が螺合している他側面２ｂの下部支持部材３は相対的に床溝２の一側面２ａに向かって移動する。
【００４５】
移動する下部支持部材３はその一側面３ａが、挿入されている防水扉１の下部側１ａに当接する。詳しくは、一側面３ａに取り付けられた下部押込板３３が防水扉１の下部側１ａの表面に当接する。防水扉１の下部側１ａの表面に当接した下部支持部材３の一側面３ａは、防水扉１の下部側１ａを押圧して床溝２の一側面２ａに向けて移動させる。下部支持部材３とこれに押圧された防水扉１とは一緒になって床溝２の一側面２ａに向けて移動する。
【００４６】
押圧されて移動した防水扉１はその下部側１ａに取り付けられた例えばゴム製のパッキンなどが使用された弾性止水板１１が床溝２の一側面２ａに押し付けられ、弾性止水板１１は圧縮されて止水部を構成する。
【００４７】
ここで重要なのは下部押圧力付与軸３１の力をバランスよく防水扉１に伝え、さらに、その力の外的つりあいを作り出す必要がある。前記したように下部支持部材３の一側面３ａには下部押込板３３が取り付けられている。これは下部押圧力付与軸３１の回転によって下部支持部材３が移動して防水扉１に接触するとき、確実にこの下部押込板３３の幅の範囲内で、下部押圧力付与軸３１による移動力を防水扉１に伝えるためである。
【００４８】
これをつけないと、下部支持部材３が防水扉１の方向に移動したとき、下部支持部材３の一側面３ａのどの部分が防水扉１に接触するか確定できない。下部支持部材３の一側面３ａの上部が接触すると防水扉１の下部は拘束がなくなり、防水扉１はふらつく。また、下部支持部材３の一側面３ａの下部が接触すると、同じように防水扉１の上部は拘束がなくなり、防水扉１はふらつく。つまり図で示すように下部押圧力付与軸３１の移動力Ｐの位置が、２個の上下の受圧板１２の内側に常にあることで力のつりあいが生じ、防水扉１が固定されるということである。また、このような方法をとることで、例えばゴム製パッキンなどが使用される弾性止水板１１に過大な力がかからなくなる。
【００４９】
このようにして、防水扉１はその下部側１ａが床溝２の一側面２ａと下部支持部材３の一側面３ａとの間で挟圧されて支持され、従来のように防水扉の長さ方向の両側端側１ｂを側溝４で支えるのではなく床溝２で支える構造になっている。
【００５０】
通常の防水扉は高さ５００ｍｍ位が標準となっている。依って仮に高さが５００ｍｍの製品とすると、長さＬ＝５００ｍｍの片持梁と考えられ、両端単純支持に比較すると、そのたわみが非常に小さくなる。さらに、開口寸法が変化しても、そのたわみの大きさは変わらず、つまり扉の剛性を変える必要がなくなり常に同じ扉の厚みで良いのである。
【００５１】
図のように防水扉１を床溝２内の下部支持部材３で挟圧して固定することにより、防水扉１の幅（入口開口寸法）が変わっても防水扉１に加わる水圧による曲げモーメントは、変化しないので防水扉１の厚みを変える必要はない。従って、防水扉１の重量を結果的に軽くすることができる。
【００５２】
防水扉１の下部側１ａを床溝２で支持し且つ止水した後に、左右の側溝４に挿入された防水扉１の長さ方向の両側端側１ｂを側部押圧部材５により押し付けて止水する。すなわち、各側部押圧部材５の他側面５ｂに適宜間隔で取り付けられた複数の側部押圧力付与軸５１の側部ハンドル５２を手で一定方向回りに回転させる。
【００５３】
一定方向に回転させると、側部押圧力付与軸５１は螺子運動によって、先端が他側面５ｂから突出して側溝４の他側面４ｂに向かって移動する。移動した側部押圧力付与軸５１の先端が側溝４の他側面４ｂに当接した後も更に側部押圧力付与軸５１を回転させると、側部押圧力付与軸５１が螺合している他側面５ｂの側部押圧部材５は相対的に側溝４の一側面４ａに向かって移動する。
【００５４】
移動する側部押圧部材５はその一側面５ａが、挿入されている防水扉１の各側端側１ｂにそれぞれ当接する。防水扉１の各側端側１ｂの表面に当接した側部押圧部材５の一側面５ａは、防水扉１の各側端側１ｂを押圧して側溝４の一側面４ａに向けて移動させる。側部押圧部材５とこれに押圧された防水扉１とは一緒になって側溝４の一側面４ａに向けて移動する。
【００５５】
押圧されて移動した防水扉１はその各側端側１ｂに取り付けられた例えばゴム製のパッキンなどが使用された弾性止水板１１が側溝４の一側面４ａに押し付けられ、弾性止水板１１は圧縮されて止水部を構成する。
【００５６】
側溝４の役目は、防水扉１の左右両側端側１ｂの止水が目的である。つまり側溝４に設置される側部押圧部材５や側部押圧力付与軸５１は例えばゴム製パッキンが使用される弾性止水板１１を圧縮するためのものである。
【００５７】
本願発明の製品は、水圧を床溝２で支持するので、開口寸法が大きい、つまり防水扉１の長さが長くなっても１枚板で設計することができる。どうしても分割が必要な場合は、既存の製品はその分割部に支柱をたてなければならないが、本願発明の製品は、分割部に外力が加わらないので、支柱は必要ない。ただし、分割部にワンタッチ式の止水ゴムを取り付ける。
【００５８】
なお、この発明は上記発明を実施するための最良の形態に限定されるものではなく、この発明の精神を逸脱しない範囲で種々の改変をなし得ることは勿論である。
【図面の簡単な説明】
【００５９】
【図１】（Ａ）はこの発明を実施するための最良の形態を示す床支持方式防水扉構造の支持方式の概念説明用の平面図である。  （Ｂ）はこの発明を実施するための最良の形態を示す床支持方式防水扉構造の支持方式の概念説明用の側断面図である。
【図２】この発明を実施するための最良の形態を示す床支持方式防水扉構造における洪水時の床溝部分の側断面図である。
【図３】この発明を実施するための最良の形態を示す床支持方式防水扉構造における通常時の床溝部分の側断面図である。
【図４】この発明を実施するための最良の形態を示す床支持方式防水扉構造における洪水時の側溝部分の側断面図である。
【図５】（Ａ）はこの発明を実施するための最良の形態を示す側部押圧部材の平断面図である。  （Ｂ）はこの発明を実施するための最良の形態を示す側部押圧部材の側面図である。  （Ｃ）はこの発明を実施するための最良の形態を示す側部押圧部材の正断面図である。
【図６】この発明を実施するための最良の形態を示す床支持方式防水扉構造における洪水時の支持状態での力の伝わり説明用の側断面図である。
【図７】（Ａ）は従来の防水扉の支持方式の概念説明用の平面図である。  （Ｂ）は従来の防水扉の側部水密方式の概念説明用の平面図である。
【符号の説明】
【００６０】
１    防水扉
１ａ  下部側
１ｂ  側端側
１１  弾性止水板
１２  受圧板
２    床溝
２ａ  一側面
２ｂ  他側面
２ｃ  底面側
３    下部支持部材
３ａ  一側面
３ｂ  他側面
３ｃ  連結面
３ｄ  ブラケット
３１  下部押圧力付与軸
３２  下部ハンドル
３３  下部押込板
４    側溝
４ａ  一側面
４ｂ  他側面
４ｃ  底面
５    側部押圧部材
５ａ  一側面
５ｂ  他側面
５ｃ  連結面
５ｄ  長孔
５ｅ  連結ボルト
５１  側部押圧力付与軸
５２  側部ハンドル
ａ    床面
ｂ    側壁面
【図１】
2007016456.tif 000003
【図２】
2007016456.tif 000004
【図３】
2007016456.tif 000005
【図４】
2007016456.tif 000006
【図５】
2007016456.tif 000007
【図６】
2007016456.tif 000008
【図７】
2007016456.tif 000009